(57)【要約】【課題】共架物の調査作業及び集計作業の軽減を図ると共に、成果物の信頼性の向上を図ることができる共架調査用具及びその出力プログラムを提供する。【解決手段】電柱に架設された通信線等の共架物の調査に供される共架調査用具であって、調査電柱を特定する属性データ５ａと、調査すべき電柱の共架物として予め登録されている契約データ９ａと、調査すべき電柱の周囲の地図情報２０と、調査結果を記入する記入欄２とを同時に表示し、前記地図情報２０に、調査電柱が中心近傍に配置され、且つ、該調査電柱に隣接する少なくとも１本の電柱が表示されている。【選択図】    図１
2004304867.tif 000002
【特許請求の範囲】
【請求項１】
電柱に架設された通信線等の共架物の調査に供される共架調査用具であって、
調査すべき電柱を特定する特定情報と、調査すべき電柱の共架物として予め登録されている契約共架物情報と、調査すべき電柱の周囲の地図情報と、調査結果を記入する記入欄とを同時に表示し、
前記地図情報に、調査すべき電柱が中心近傍に配置され、且つ、該調査すべき電柱に隣接する少なくとも１本の電柱が表示されている共架調査用具。
【請求項２】
前記地図情報に、調査すべき電柱の周囲の道路及び建造物等が、電柱よりも色調の低い色で表示されている請求項１に記載の共架調査用具。
【請求項３】
前記地図情報中の電柱が、電柱の種類に応じて異なる記号で表示されている請求項１又は請求項２に記載の共架調査用具。
【請求項４】
電柱に架設された通信線等の共架物の調査に供される共架調査用具を出力する出力プログラムであって、
調査すべき電柱を特定する特定情報に基づいて、電柱の種類と位置とを対応づけて記憶する電柱データベースから、調査すべき電柱及びその周辺の電柱の位置情報を抽出するステップと、
前記調査すべき電柱の周辺の地形情報を、配電地域の地形データベースから抽出するステップと、
前記各電柱の位置情報と地形情報とを合成してなる地図情報を作成するステップと、
調査すべき電柱が中心近傍に配置され、且つ、調査すべき電柱に隣接する少なくとも１本の電柱が表示されるように画像枠を決定するステップと、
前記地図情報が表示された前記共架調査用具を出力するステップとを、コンピュータに実行させる出力プログラム。
【発明の詳細な説明】
【０００１】
【発明の属する技術分野】
この発明は、市街地及び市外地に配置される電柱に、配電線とは別に架設された通信線等の共架物の施設状況調査に供される共架調査用具とその出力プログラムに関するものである。
【０００２】
【従来の技術】
市街地や市外地の各所に配置されている電柱には、配電線以外に、通信線及び標識等の共架物が架設されており、これら共架物の重量が電柱の許容荷重以下であるか、又は未契約の共架物が架設されていないか等の調査が定期的に行われている。
上記のような共架調査では、先ず、調査地域内の各電柱毎の共架設備調査用紙を準備し、次いで、この調査用紙を用いて現場調査を行い、調査用紙のデータ記入欄に調査データを記入しながら、スケッチ欄には、主としてケーブル等の線物件の施設状況を周辺の地形及び電柱と共にスケッチしていく。そして、最後に調査結果をまとめて所定の成果物を作成している（例えば、特許文献１参照。）。
ここで、前記調査用紙のデータ記入欄は、所定の調査結果を記入するための表が設けられており、スケッチ欄は、調査結果を自由に書き込めるように外枠のみが設けられている。
【０００３】
【特許文献１】
特開２００２−１３２８７３号公報
【０００４】
【発明が解決しようとする課題】
しかしながら、電柱に架設される共架物はその数が多く、また、線物件においては周辺の電柱に複雑に掛け渡されているため、現場調査におけるスケッチ欄への書き込みが複雑になり、調査作業の負担が増加するという問題がある。
また、スケッチ欄への書き込みが多くなった結果、調査結果の集計作業の負担も増加し、集計ミス等の原因となって成果物の精度を低下させるという問題がある。
この発明は上記の事情に鑑みてなされたもので、共架物の調査作業及び集計作業の軽減を図ると共に、成果物の信頼性の向上を図ることができる共架調査用具及びその出力プログラムを提供することを目的としている。
【０００５】
【課題を解決するための手段】
上記課題の解決手段として、以下の発明を採用した。
請求項１に係る発明は、電柱に架設された通信線等の共架物の調査に供される共架調査用具であって、調査すべき電柱を特定する特定情報と、調査すべき電柱の共架物として予め登録されている契約共架物情報と、調査すべき電柱の周囲の地図情報と、調査結果を記入する記入欄とを同時に表示し、前記地図情報に、調査すべき電柱が中心近傍に配置され、且つ、該調査すべき電柱に隣接する少なくとも１本の電柱が表示されている共架調査用具を提供するものである。
この共架調査用具によれば、現場調査において、調査すべき電柱の特定情報、契約共架物情報と実際の電柱とを対比させながら調査を行うことが可能となる。
また、上記調査結果を記入欄に記入すると共に、線物件の周辺の電柱等への架設状況の調査結果の記入を、地図情報に線物件を書き込むことのみで完了させることが可能となる。
【０００６】
請求項２に係る発明は、前記地図情報に、調査すべき電柱の周囲の道路及び建造物等が、電柱よりも色調の低い色で表示されている請求項１に記載の共架調査用具を提供するものである。
この共架調査用具によれば、調査対象となる電柱及び周辺の電柱を明確に表示することが可能となる。
【０００７】
請求項３に係る発明は、前記地図情報中の電柱が、電柱の種類に応じて異なる記号で表示されている請求項１又は請求項２に記載の共架調査用具を提供するものである。
この共架調査用具によれば、地図情報中に表示される各電柱を設備別及び標識別等に識別することが可能となる。
【０００８】
請求項４に係る発明は、電柱に架設された通信線等の共架物の調査に供される共架調査用具を出力する出力プログラムであって、調査すべき電柱を特定する特定情報に基づいて、電柱の種類と位置とを対応づけて記憶する電柱データベースから、調査すべき電柱及びその周辺の電柱の位置情報を抽出するステップと、前記調査すべき電柱の周辺の地形情報を、配電地域の地形データベースから抽出するステップと、前記各電柱の位置情報と地形情報とを合成してなる地図情報を作成するステップと、調査すべき電柱が中心近傍に配置され、且つ、調査すべき電柱に隣接する少なくとも１本の電柱が表示されるように画像枠を決定するステップと、前記地図情報が表示された前記共架調査用具を出力するステップとを、コンピュータに実行させる出力プログラムを提供するものである。
この出力プログラムによれば、共架調査用具における地図情報中に調査すべき電柱を中心近傍に配置し、且つ、調査すべき電柱に隣接する少なくとも１本の電柱を表示することが可能となる。
【０００９】
【発明の実施の形態】
以下、この発明の実施の形態を図面と共に説明する。
図１に示すように、この実施の形態における共架調査用具は紙を媒体とした形態であり、右側略半分をデータ記入欄３、左側略半分をスケッチ欄４とする調査結果の記入欄２が表示された調査用紙１として構成されている。
【００１０】
図２に示すように、データ記入欄３の右上には、電柱属性欄５、調査者データ記入欄６、電柱相違記入欄７及び電柱属性欄５の一部であるシリアルナンバー記載欄８が上から順に設けられている。
電柱属性欄５は、調査すべき電柱（以下、調査電柱という）の属性データ（特定情報）５ａが記載されている欄であり、各電柱が有する電柱ナンバ、本柱や支線柱等の設備名、重複柱である場合には柱順位、標識名及び配電ブロックナンバが記載され、更に、電力会社のデータに基づく柱種類、店所名及びコードが記載されている。尚、シリアルナンバ記載欄８には、調査用紙の配電ブロック毎の通し番号が記載されている。
尚、標識名は地名で表示される。また、配電ブロックとは、電力会社の事業所が管理する配電地域を複数のブロックに分割した際の一区画を示す。
【００１１】
調査者データ記入欄６は、調査担当者及び調査内容に係るデータを記入する欄であり、調査担当者コード、調査日を記入し、更に、調査時に写真撮影を行った場合の撮影順位（デジタルカメラであればどのメモリカードの何枚目か等）、調査電柱の番号札枚数及び近接撮影枚数を記入する欄が設けられている。
【００１２】
電柱相違記入欄７は、調査電柱の電柱属性が現場の電柱と異なっている場合に相違項目を記入する欄であり、電柱ナンバ、配電ブロックナンバ及び柱種類の記入欄が設けられている。
【００１３】
電柱属性欄５等の左側には、共架物の契約データ欄９、点物件記入欄１０が右側から順に設けられている。
尚、点物件とは、街灯や信号等、調査電柱のみに架設されているものを指し、後述する線物件とは、複数の電柱に架け渡される通信ケーブル等を指す。
契約データ欄９は、調査電柱に架設される共架物の契約データ（契約共架物情報）９ａが記載されている欄であり、点物件か線物件かの区分、契約者ナンバ、工作物が契約されている場合はそのコード、線種が契約されている場合はそのコードが、これらを横軸とした表中の上から順に記載されている。
【００１４】
点物件記入欄１０は、調査電柱に架設されている共架物の調査結果を記入する欄であり、契約者ナンバ、共架物件の種類を示すコード、工作物コード、共架物の地上高、施設形態コード（この実施形態ではＰＨＳ、スピードネットに限る）及び街路灯が設けられている場合はそのナンバを各々記入する欄とメモ欄とが設けられており、これらを横軸とした表中の左から順に設けられている。
【００１５】
契約データ欄９及び点物件記入欄１０の上方には、簡易記入用のチェック欄１１として、調査結果集計時にシステム上においてのみに必要となる調査電柱であるか否かを判別可能とするチェックボックスと、調査電柱に点物件も線物件もない場合、若しくは調査電柱が撤去されている場合を判別可能とするチェックボックスとが設けられている。
尚、システム上においてのみ必要となる調査電柱とは、点物件がなく、且つ、線物件の全てが他の電柱を第１電柱として（標識内電柱が第１電柱となる場合と、他標識電柱が第１電柱となる場合とがある）調査済み若しくは調査予定であるものを指す。また、調査電柱に架設される線物件が架け渡される電柱を第２電柱とし、その第２電柱に対して調査電柱を第１電柱としている。
【００１６】
データ記入欄３の下側略半分には、線物件記入欄１２が設けられており、調査電柱に架設されている共架物の調査結果を記入できるようになっている。
この線物件記入欄１２には、物件の種類（略称で記入）、契約者ナンバ、線物件の線種コード、条数、施設地上高及び施設形態（取り付け状態）コードを各々記入する欄と、この調査電柱に対する第２電柱の設備コード、電柱ナンバ、重複柱である場合の柱順位、他標識電柱である場合の配電ブロックナンバ及び他店所電柱である場合の店所コードを各々記入する欄とメモ欄とが、これらを横軸とした表中の左から順に設けられている。
【００１７】
また、データ記入欄３の右側の欄外には、調査単位マークナンバ１３として、上から順に１から１５までの整数が等間隔で記載されている。
尚、線物件記入欄の下方には、調査内容に係る事項を記入するための備考欄１４が設けられている。また、備考欄１４の下方であって、データ記入欄３の欄外には、例えば調査電柱頂部のアンテナ取り付け地上高等、調査時に利用可能な付加情報１５が記載されている。
【００１８】
図３に示すように、スケッチ欄４には、地図情報２０として、画像枠２１内の中央に調査電柱の電柱シンボル２２が表示され、且つ調査電柱の周辺の電柱の電柱シンボル２３が、調査電柱の周辺の地形図２４（地形情報）と共に表示されている。ここで、地図情報２０とは、調査電柱の属性データ５ａ及び座標データ（位置情報）３１ａ、並びに調査電柱の周辺の電柱の属性データ５ｂ及び座標データ３１ｂと、地形図２４とを合成して表示したものである。
地形図２４は、上方が北を指すように表示され、また、調査用紙１がＡ４サイズである場合は、縮尺１／７５０を標準として表示されている。
そして、この地形図２４上において、標識内電柱は、例えば黒の電柱シンボル内に黒の電柱ナンバを記載して表示されており（図中２５）、他標識電柱は、例えば標識内電柱の表示を白黒反転して表示されている（図中２６）。
【００１９】
また、各電柱シンボル２２，２３は、例えば円形のものは電力会社の本柱を示し、方形のものはその支線柱を示す。また、２重円形のものは電話会社の本柱を示し、２重方形のものはその支線柱を示す。更に、三角形のものは支柱を示す等、各電柱の属性データ５ａ，５ｂに対応してその形状を使い分けて表示されている。
そして、調査電柱の電柱シンボル２２は、その周辺の電柱シンボル２３と区別するために、その内側が例えば灰色に着色されている。また、調査電柱の周囲の道路及び建造物等を示す地形図２４の表示は、例えば灰色のように、各電柱シンボル２２，２３よりも色調の低い色で表示されている。
【００２０】
また、地形図２４の縮尺は、一般の１／７５三角スケールが使い易いように１／７５０を標準としているが（スケッチ欄の左下には、地形図の縮尺表示２７が記載されている）、調査電柱の周辺の状況によって、例えば周辺に電柱が密集しているような場合は大縮尺とし、逆の場合は小縮尺とする等、後述する出力プログラムにより適宜変更可能とされている。
【００２１】
ここで、上記調査用紙１をコンピュータに出力させるための出力プログラムの動作を図４に示すフローチャートに基づいて説明する。
先ず、調査電柱の属性データ５ａに基づき、電柱の種類と位置とを対応づけて記憶する電柱データベースから、調査電柱の座標データ３１ａを抽出する（ステップＳ１）。この時、調査電柱の周辺の電柱の属性データ５ｂ及び座標データ３１ｂも同時に抽出される。
次いで、調査電柱の座標データ３１ａに対応して、調査電柱の周辺の地形図２４を地形データベースから抽出する（ステップＳ２）。
【００２２】
そして、各電柱の属性データ５ａ，５ｂ及び座標データ３１ａ，３１ｂと地形図２４とを合成して地図情報２０を作成すると共に（ステップＳ３）、調査電柱が調査用紙のスケッチ欄の中心に配置され、且つ、調査電柱に隣接する少なくとも１本の電柱が表示されるよう画像枠２１を決定する。この時、周辺の電柱数が所定の範囲内であるか否かの判断が行われる（ステップＳ４）。この判断がＹＥＳの場合は、地形図２４の縮尺が標準値（調査用紙がＡ４の時は１／７５０）となるよう画像枠２１が決定され（ステップＳ５）、ＮＯの場合は、任意のパラメータにより、電柱数が所定の範囲内となるよう地形図２４の縮尺を調整して画像枠２１が決定される（ステップＳ６）。
【００２３】
一方、契約データベースから調査電柱に架設される共架物の契約データ９ａが抽出され、この契約データ９ａ及び属性データ５ａの必要事項が前記記入欄２と合成される。そして、この記入欄２と地図情報２０とを重ね合わせて紙面上に出力し、調査用紙１を作成する（ステップＳ７）。この時、属性データ５ａ，５ｂに基づいて、画像枠２１内に表示される電柱の電柱シンボル２２，２３の形状等が決定される。また、調査電柱の電柱シンボル２２は、その内側が例えば灰色で着色され、地形図２４の表示は、例えば灰色のように、各電柱シンボル２２，２３より色調の低い色で出力される。
尚、調査対象となる配電ブロックを指定すると、そのブロック内に配設されている各電柱についての上記作業が順次行われるようになっている。
【００２４】
次に、作用について説明する。
先ず、調査対象とする配電ブロックを主管する電力会社との協議により決定し、最新の電柱配置図（図示略）を用意する。
【００２５】
次いで、電力会社が契約者と締結している共架物の契約情報、例えば契約者ナンバ、共架物の種類、共架物が線物件である場合はその線種及びルート等を、電柱配置図に記載されている各電柱と照合させながらコンピュータに入力し、電力会社より支給される各電柱の座標データ、属性データ及び地形データとあわせて、調査対象とする配電ブロックのデータベースを作成する。そして、このデータベースに基づき、前記出力プログラムを利用して、各電柱の共架設備調査用紙１を作成する。
【００２６】
次いで、作成した調査用紙１を調査する道順に沿って準備し、現場作業で必要な電柱配置図、共架物の設置位置測定に必要なメジャーポール、現場状況を撮影するカメラを準備する。
【００２７】
そして現場へ行き、属性データ５ａから調査電柱を確認した後に、その電柱における共架物の調査を開始する。
点物件においては、物件に記載されている契約者ナンバ、物件種類コード及び工作物コードを確認し、更に、ＰＨＳ、スピードネットに係る共架物及び街路灯が架設されている場合には、これらのコード又はナンバを確認し、各共架物の架設高（地上高）と共に、調査用紙１の点物件記入欄１０へ所定の書式で記入する。
この時、契約データ９ａと対比させながら調査を行うことで、作業効率が高まると共に契約内容との相違点を確実に発見することができる。
尚、契約内容との相違点を発見した場合には、後にその状況を把握できるよう物件及びその周辺の撮影を行っておく。
【００２８】
また、線物件においては、物件の種類、契約者ナンバ、線種コード及び条数を確認し、施設地上高及び施設形態コードと共に調査用紙１の線物件記入欄１２へ所定の書式で記入する。また、調査電柱を第１電柱として、対称となる線物件が架け渡されている第２電柱の設備名及び電柱ナンバと、必要に応じて柱順位、配電ブロックナンバ及び点所コードとを記入する。線物件においても、契約データ９ａと対比させることで、作業効率が高まり、契約内容との相違点を確実に発見することができる。
尚、契約内容との相違点を発見した場合には、点物件の場合と同様、物件及びその周辺の撮影を行っておく。
【００２９】
更に、線物件の調査内容については、図５に示すように、各線物件が調査電柱からどの電柱に架け渡されているか等を、スケッチ欄４の地図情報２０上に矢印３５等の所定の書式により書き込んでいく。つまり、第１電柱と第２電柱とを結ぶ矢印３５を書き込んでいく。また、物件の種類の略称及び条数等も矢印３５付近に書き込んでいく（図中３６）。必要であれば、電柱シンボルや基地局についての書き込みも行う（図中３７）。尚、図中矢印３８は電柱の地支線、３９は物件の施設形態を示すものであり、これらを含め、前記書き込み内容と紛らわしくない範囲で自由に記入することができる。
【００３０】
スケッチ欄４には、地形図２４と共に予め調査電柱に隣接する少なくとも１本の電柱を含む複数の電柱シンボル２３が表示されているため、正確な位置に記載された第２電柱との間に線物件を書き込むことのみで調査結果の記入が完了し、記入作業が正確で且つ効率が高い。また、紙媒体である調査用紙に書き込みを行うため、記入作業が容易で且つ自由度が高く、きめ細かな調査を行うことができる。
更に、地形図２４が電柱シンボル２２，２３より色調の低い色で表示されているため、電柱の表示が強調されて見落とし等を防ぐと共に、書き込み内容とも識別し易い。しかも、各電柱シンボル２２，２３が各々の属性データ５ａ，５ｂに基づいて使い分けて表示されているため、より一層調査を高効率化できる。
また、調査電柱に点物件がなく、且つ線物件の全てが他の電柱を第１電柱として調査済み若しくは調査予定である場合、又は調査電柱に点物件も線物件もない場合若しくは調査電柱が撤去されている場合には、前記チェック欄１１のチェックを行うのみでよい。
【００３１】
また、調査用紙１の左側の欄外に設けられた調査単位マークナンバ１３を利用することで、調査用紙１に共通する記載（担当者コード、調査日等）の記入を省略すことができる。具体的には、図６に示すように、担当者及び調査日等が同一の調査用紙１をまとめ、一枚目の調査用紙１に担当者コードと調査日を記入した後、各調査用紙１を右側端部１ａを傾斜させた状態で揃え、調査単位マークナンバ１３の任意のナンバ位置に油性ペン等で全頁に渡ってマークすることで、２枚目以降の調査用紙１に担当者及び調査日を記入しなくても識別が可能となる。
【００３２】
そして帰社後、調査結果の記載漏れを点検し、また電力会社の各種コード番号との相違を点検しながら、各調査用紙１に記入された調査内容をコンピュータに入力していく。この時、スケッチ欄４に記載された線物件等の調査内容は、上述したように、細かな情報まで正確に記入されているため、線物件を認識し易く、また第２電柱の位置関係及び詳細情報等を確認しながら入力作業を行うことができ、作業負担が軽減されると共に入力ミス等を防止できる。
【００３３】
次いで、契約内容と異なり共架物が撤去されているもの、又は現場で発見した未契約の共架物が架設されているもの等、データベースと調査内容との相違点をコンピュータに入力し、データベースの修正を行う。
【００３４】
次いで、現場で撮影した、契約内容と相違点のある共架物、特に線種が不明の線物件の外形を、撮影した写真に基づいて既存の通信ケーブル外形測定システムにより計測する。そして、この計測結果に基づいてデータベースの修正を行うと共に、電力会社制定の線種コード番号をデータベースに付加する。
【００３５】
最後に、第８工程として、電力会社の各配電ブロックのデータベースの点検を行うと共に、既存の帳票への記載及び電力会社へ納入するための記憶媒体への書き込み処理等、納品用成果物の作成を行う。
【００３６】
上述した実施の形態によれば、共架物調査における調査作業を正確に行うと共に作業負担を軽減できる。特に、線物件においては、地図情報２０上に記載された各電柱との間に線物件を書き込むことのみで調査結果の記入が完了するため、記入作業が正確で且つ効率が高い。
また、調査内容をコンピュータに入力する作業においても、正確に記入された調査用紙１によって作業負担が軽減できると共に、入力ミス等を防止できる。
【００３７】
尚、この発明は上記実施の形態に限られるものではなく、例えば、調査用具として、調査用紙ではなく携帯端末等を用いてもよい。
【００３８】
【発明の効果】
以上説明してきたように、請求項１に係る発明は、現場調査において、調査すべき電柱の特定情報、契約共架物情報と実際の電柱とを対比させながら調査を行うことが可能となるため、共架物調査における調査作業を正確に行うと共に作業負担を軽減できる効果がある。
また、線物件の周辺の電柱等への架設状況の調査結果の記入を、地図情報に線物件を書き込むことのみで完了させることが可能となるため、記入作業の効率を高める効果がある。
【００３９】
請求項２に係る発明は、調査対象となる電柱及び周辺の電柱を明確に表示することが可能となるため、電柱の見落とし等を防ぐと共に、書き込み内容との混同を防止できる効果がある。
【００４０】
請求項３に係る発明は、地図情報中に表示される各電柱を設備別及び標識別に識別することが可能となるため、より一層調査を高効率化できる効果がある。
【００４１】
請求項４に係る発明は、共架調査用具における地図情報中に調査すべき電柱を中心近傍に配置し、且つ、調査すべき電柱に隣接する少なくとも１本の電柱を表示することが可能となるため、共架物調査における作業効率の高い調査用具とすることができる効果がある。
【図面の簡単な説明】
【図１】この発明の実施の形態の調査用紙の平面図である。
【図２】調査用紙のデータ記入欄の平面図である。
【図３】調査用紙のスケッチ欄の平面図である。
【図４】調査用紙出力プログラムの動作を示すフローチャート図である。
【図５】調査結果記入時のスケッチ欄の平面図である。
【図６】調査単位マークナンバ使用時の斜視説明図である。
【符号の説明】
１  調査用紙（調査用具）
２  記入欄
３  データ記入欄
４  スケッチ欄
５ａ  属性データ（特定情報）
９ａ  契約データ（契約共架物情報）
１３  調査単位マークナンバ
２０  地図情報
２１  画像枠
２２，２３  電柱シンボル（記号）
２４  地形図（地形情報）
３１ａ  座標データ（位置情報）
【図１】
2004304867.tif 000003
【図２】
2004304867.tif 000004
【図３】
2004304867.tif 000005
【図４】
2004304867.tif 000006
【図５】
2004304867.tif 000007
【図６】
2004304867.tif 000008